(57)【特許請求の範囲】
【請求項１】
移動体を用いる玩具において、
前記移動体を第１の方向へと移動させることが可能な移動機構と、
第１の方向へと移動した移動体を２個以上貯留可能な貯留部と、を備え、
前記貯留部は、前記移動体が通過可能な排出口を有し、当該排出口には、前記移動体の通過を阻止可能な阻止状態と前記移動体の通過を許容する開放状態の両方になり得る阻止部を設けたことを特徴とする玩具。
【請求項２】
前記移動体が通過可能な開口部を有する移動体収容部を有し、前記阻止部は、前記移動体収容部を前記貯留部に対して前記排出口と前記開口部が対向するように配置したとき、開放状態となることを特徴とする請求項１記載の玩具。
【請求項３】
前記開口部には、前記移動体の通過を遮断可能な遮断状態と前記移動体の通過を許容する開放状態の両方になり得る遮断部が設けられていることを特徴とする請求項２記載の玩具。
【請求項４】
前記遮断部は、前記移動体収容部を前記貯留部に対して前記排出口と前記開口部が対向するように配置したとき、開放状態となることを特徴とする請求項３記載の玩具。
【請求項５】
前記移動体が通過可能な供給口を有し、前記移動機構に対して前記移動体を供給可能な供給部を有することを特徴とする請求項２から４のいずれか１項に記載の玩具。
【請求項６】
前記遮断部は、前記移動体収容部を前記供給部に対して前記供給口と前記開口部が対向するように配置したとき、開放状態となることを特徴とする請求項５記載の玩具。
【請求項７】
前記移動体が通過可能な供給口を有し、前記移動機構に対して前記移動体を供給可能な供給部を有することを特徴とする請求項１記載の玩具。
【請求項８】
前記移動体が通過可能な開口部を有する移動体収容部を有し、前記開口部には、前記移動体の通過を遮断可能な遮断状態と前記移動体の通過を許容する開放状態の両方になり得る遮断部が設けられており、前記遮断部は、前記移動体収容部を前記供給部に対して前記供給口と前記開口部が対向するように配置したとき、開放状態となることを特徴とする請求項７記載の玩具。
【請求項９】
前記移動体の移動経路を制限する制限部を有することを特徴とする請求項１から８のいずれか１項に記載の玩具。
【請求項１０】
前記制限部は、移動体の移動経路を覆う被覆部であることを特徴とする請求項９記載の玩具。
【請求項１１】
前記制限部には、移動してきた前記移動体と接触して当該移動体の第１の方向への移動を終了させる接触部が設けられ、かつ、
前記貯留部は、前記接触部に対して当該接触部に接触して第１の方向への移動が終了した前記移動体が自重により移動する方向に設けられていることを特徴とする請求項９または１０に記載の玩具。
【請求項１２】
移動体を用いる玩具において、
前記移動体を第１の方向へと移動させることが可能な移動機構と、
前記移動機構に対して前記移動体を供給可能な供給部と、
前記移動体の移動経路を制限する制限部と、
第１の方向へと移動した移動体を２個以上貯留可能な貯留部と、を備えたことを特徴とする玩具。
【請求項１３】
前記制限部は、移動体の移動経路を覆う被覆部であることを特徴とする請求項１２記載の玩具。
【請求項１４】
前記制限部には、移動してきた前記移動体と接触して当該移動体の第１の方向への移動を終了させる接触部が設けられ、かつ、
前記貯留部は、前記接触部に対して当該接触部に接触して第１の方向への移動が終了した前記移動体が自重により移動する方向に設けられていることを特徴とする請求項１２または１３に記載の玩具。
【請求項１５】
前記玩具は全体的に銃を模した形状をなし、使用者が把持する把持部と、当該把持部を把持した状態で操作可能な引金部とを備え、当該引金部の操作によって前記移動機構は移動体を第１の方向に移動させることを特徴とする請求項１から１４のいずれか１項に記載の玩具。
【発明の詳細な説明】
【技術分野】
【０００１】
本発明は、発射感を得ることができる玩具に関する。
【背景技術】
【０００２】
従来、引金部（トリガ）を引くことにより円盤状の移動体が発射される銃を模した円盤発射玩具が提案されている（たとえば、特許文献１）。
【先行技術文献】
【特許文献】
【０００３】
【特許文献１】実用新案登録第３０１９８７９号公報
【発明の概要】
【発明が解決しようとする課題】
【０００４】
しかしながら、従来の円盤発射玩具は、収容していた円盤をすべて発射した後は、色々な方向に飛んだ円盤を拾いに行かなくてはならなかった。
【０００５】
そこで、本発明は、上記の問題を鑑みてなされたものであり、発射のおもしろさを享受しつつ移動体を拾いにいく手間を省いた玩具を提供することを目的とする。
【課題を解決するための手段】
【０００６】
本発明に係る玩具は、移動体を用いる玩具において、前記移動体を第１の方向へと移動させることが可能な移動機構と、第１の方向へと移動した移動体を２個以上貯留可能な貯留部と、を備え、前記貯留部は、前記移動体が通過可能な排出口を有し、当該排出口には、前記移動体の通過を阻止可能な阻止状態と前記移動体の通過を許容する開放状態の両方になり得る阻止部を設けたことを特徴とする。
【０００７】
また、本発明においては、前記移動体が通過可能な開口部を有する移動体収容部を有し、前記阻止部は、前記移動体収容部を前記貯留部に対して前記排出口と前記開口部が対向するように配置したとき、開放状態となるようにしても良い。
【０００８】
また、本発明においては、前記開口部には、前記移動体の通過を遮断可能な遮断状態と、前記移動体の通過を許容する開放状態の両方になり得る遮断部を設けても良い。
【０００９】
また、本発明においては、前記遮断部は、前記移動体収容部を前記貯留部に対して前記排出口と前記開口部が対向するように配置したとき、開放状態となるようにしても良い。
【００１０】
また、本発明においては、前記移動体が通過可能な供給口を有し、前記移動機構に対して前記移動体を供給可能な供給部を有するようにしても良い。
【００１１】
また、本発明においては、前記移動体の移動経路を制限する制限部を有するようにしても良い。
【００１２】
また、本発明においては、前記制限部は、移動体の移動経路を覆う被覆部としても良い。
【００１３】
なお、ここでいう「覆う」とは、完全に密閉している状態はもちろん、完全に密閉してはいなくとも、移動体の移動経路を制限していれば足りる。
【００１４】
また、本発明においては、前記制限部には、移動してきた前記移動体と接触して当該移動体の第１の方向への移動を終了させる接触部が設けられ、かつ、前記貯留部は、前記接触部に対して当該接触部に接触して第１の方向への移動が終了した前記移動体が自重により移動する方向に設けられるようにしても良い。
【００１５】
本発明に係る玩具は、移動体を用いる玩具において、前記移動体を第１の方向へと移動させることが可能な移動機構と、前記移動機構に対して前記移動体を供給可能な供給部と、前記移動体の移動経路を制限する制限部と、第１の方向へと移動した移動体を２個以上貯留可能な貯留部と、を備える。
【００１６】
また、本発明は、前記玩具は全体的に銃を模した形状をなし、使用者が把持する把持部と、当該把持部を把持した状態で操作可能な引金部とを備え、当該引金部の操作によって前記移動機構は移動体を第１の方向に移動させるようにしても良い。
【発明の効果】
【００１７】
本発明によれば、発射感を得つつ、移動体を拾いに行く手間を省くことができる。
【図面の簡単な説明】
【００１８】
【図１】図１は、本発明の一実施形態を示す玩具の側面図である。
【図２】図２は、図１に示す玩具の断面図である。
【図３】図３は、図１に示す玩具の断面斜視図である。
【図４】図４は、図１に示す玩具に備わる移動機構の斜視図である。
【図５】図５は、図４に示す移動機構で移動体を所定量押し出した状態の平面図である。
【図６】図６は、図４に示す移動機構で移動体が第１の方向に移動開始される状態の平面図である。
【図７】図７は、図１に示す玩具に備わる供給部の斜視図である。
【図８】図８は、図７に示す供給部に移動体を供給した状態の斜視図である。
【図９】図９は、図７に示す供給部に収納された最下層の移動体が第１の方向に移動した後に、上層部分の移動体が下降する過程を（ａ）および（ｂ）に順を追って示す断面図である。
【図１０】図１０は、図７に示す供給部に第２着脱部が取り付いた状態を示す斜視図である。
【図１１】図１１は、図１に示す玩具に備わる制限部の斜視図である。
【図１２】図１２は、図１１に示す被覆カバー３０を分離して移動体が移動する内部を示す斜視図である。
【図１３】図１３は、図１１に示す被覆カバー３０を分離して移動体が接触部に接触した状態を示す斜視図である。
【図１４】図１４は、図１に示す玩具に備わる貯留部の斜視図である。
【図１５】図１５は、図１４に示す貯留部に移動体が貯留される状態を示す断面図である。
【図１６】図１６は、図１４に示す貯留部に第１着脱部が取り付いた状態を示す斜視図である。
【図１７】図１７は、図１に示す玩具に備わる移動体収容部を上方から見た斜視図である。
【図１８】図１８は、図１７に示す移動体収容部を貯留部に対して配置する前の状態を示す斜視図である。
【図１９】図１９は、図１７に示す移動体収容部を貯留部に対して排出口と開口部が対向するように配置する手順を（ａ）から（ｃ）に順を追って示す断面図である。
【図２０】図２０は、図１９（ｃ）に示すように移動収容部を貯留部に対して配置した後に貯留部の移動体が移動体収容部に収容される状態を（ａ）から（ｃ）に順を追って示す断面図である。
【図２１】図２１は、図１７に示す移動体収容部を下方から見た斜視図である。
【図２２】図２２は、図１７に示す移動体収容部を供給部に対しては治する前の状態を示す側面図である。
【図２３】図２３は、図１７に示す移動体収容部を供給部に対して供給口と開口部が対向するように配置して移動体を供給部に供給する手順を（ａ）から（ｄ）に順を追って示す断面図である。
【発明を実施するための形態】
【００１９】
以下、本発明に係る好適な実施の形態について、図面を参照しながら詳細に説明する。
【００２０】
図１から図３に示すように、本実施形態の玩具１は、まず、その概略構成を説明すると、全体的に銃を模した形状をなし、使用者が把持する把持部２と、この把持部２を把持した状態で操作可能な引金部３とを備える。そして、引金部３の操作によって、装填された移動体としてのメダル４を第１の方向、つまり本実施形態では、銃の形状でいうところの銃口に向かう方向に移動させるようになっている。また、このように移動されたメダル４は所定距離を移動したところで移動が終了し、玩具１内でメダル４の移動が完結されるようになっている（これは制限部におるメダル４の移動経路の制限の一例である）。メダル４は、所定厚みをもった円形状としてプラスチックで形成されている。
【００２１】
なお、本実施形態ではメダル４の移動方向を前方、その反対側を後方とし、また、図１、図２は通常の使用状態で示されており、図中上方を上方、下方を下方として説明するが、通常の使用状態以外にも上下を逆または斜めにして遊ぶこともできる。
【００２２】
このようにメダル４を用いた玩具１は、図２、図３に示すように、そのメダル４を前方（第１の方向）へと移動させることが可能な移動機構１０と、この移動機構１０に対してメダル４を供給可能な供給部２０と、前方へと移動するメダル４の移動経路を制限する制限部と、第１の方向へと移動したメダル４を２個以上貯留可能な貯留部４０と、を備えている。なお、本実施形態では、制限部は、メダル４の下方への移動を制限する底板１４と、上方および左右方向への移動を制限する被覆カバー３０とから形成されており、貯留部４０は底板１４の第１の方向（前方）側の端部、すなわち、終端部に設けられている。
【００２３】
また、貯留部４０は、メダル４が通過可能な排出口４１を有するとともに、この貯留部４０に対しては、メダル４が通過可能な開口部５１を有する移動体収容部５０を排出口４１と開口部５１が対向するように配置可能である。本実施形態においては、貯留部４０には、移動体収容部５０を着脱可能に装着できる第１着脱部４２が設けられている。そして、排出口４１と開口部５１とは、移動体収容部５０を第１着脱部４２に装着した状態で対向される位置関係に配置されている。また、排出口４１には、メダル４の通過を阻止可能な阻止状態と、メダル４の通過を許容する開放状態の両方の状態となり得る阻止部４３が設けられている。また、阻止部４３は、移動体収容部５０を貯留部４０に対して排出口４１と開口部５１が対向するように配置したとき、開放状態となる。すなわち、本実施形態においては、阻止部４３は、移動体収容部５０を第１着脱部４２に装着した状態でメダル４の通過を許容する開放状態となり、離間させた状態ではメダル４の通過を阻止可能な阻止状態となる。
【００２４】
一方、供給部２０は、メダル４が通過可能な供給口２１を有し、移動体収容部５０は、供給部２０に対して供給口２１と開口部５１が対向するように配置可能である。すなわち、本実施形態においては、供給部２０には、移動体収容部５０を着脱可能に装着できる第２着脱部２２が設けられている。そして、供給口２１と移動体収容部５０の開口部５１とは、この移動体収容部５０を第２着脱部２２に装着した状態で対向される位置関係に配置されている。
【００２５】
また、開口部５１には、メダル４の通過を遮断可能な遮断状態と、メダル４の通過を許容する開放状態の両方になり得る遮断部５２が設けられている。また、遮断部５２は、移動体収容部５０を貯留部４０に対して排出口４１と開口部５１が対向するように配置したとき、開放状態となる。すなわち、本実施形態においては、遮断部５２は、移動体収容部５０を第１着脱部４２に装着した状態でメダル４の通過を許容する開放状態となり、離間させた状態ではメダル４の通過を遮断可能な遮断状態となる。
【００２６】
また、遮断部５２は、移動体収容部５０を供給部２０に対して供給口２１と開口部５１が対向するように配置したとき、開放状態となる。すなわち、本実施形態においては、遮断部５２は、移動体収容部５０を第２着脱部２２に装着した状態でメダル４の通過を許容する開放状態となり、離間させた状態ではメダル４の通過を遮断可能な遮断状態となる。
【００２７】
つまり、移動体収容部５０は、メダル４を収容した状態で貯留部４０から離間させた後、供給部２０に対して供給口２１と開口部５１が対向するように配置することにより、移動体収容部５０に収容されたメダル４を開口部５１、供給口２１を介して供給部２０に供給できるようになっている。
以下、上述した各構成部材をそれぞれ詳細に説明する。
【００２８】
[移動機構]
移動機構１０は、図４に示すように、同図に示す初期位置にセットされたメダル４を、引金部３の操作によって前方に押し出す押出部材１１と、この押出部材１１によってメダル４が所定量押し出されると、そのメダル４の側方から前方への発射力を付加する発射付勢部１２と、を備えて構成される。そして、発射付勢部１２の発射力によって押し出されたメダル４は、底板１４および被覆カバー３０によって移動を制限されつつ前方へと移動することになる。
【００２９】
押出部材１１は、図２に示すように、引金部３に第１リンク１３ａおよび第２リンク１３ｂからなるリンク機構１３を介して連動し、引金部３を引くことにより押出部材１１が前方（図２中左方）に押し出される。
発射付勢部１２は、図４に示すように、供給部２０によって押出部材１１の前方に供給されたメダル４の中心よりも若干前方寄りの位置であって、底板１４の片側の側方に位置し、メダル４の押出部材１１による移動方向に対して直角方向に進退自在な付勢片１２ａと、この付勢片１２ａを底板１４の中央側に向けて押圧するスプリングなどの付勢部材１２ｂとを備えている。
【００３０】
付勢片１２ａは、メダル４に接触する対向面が円弧状に形成され、付勢部材１２ｂによって付勢された自然状態では、底板１４上に所定量突出された状態となる。
また、底板１４の両側は、被覆カバー３０の両側壁３０ａ、３０ｂ（図１２参照）によって覆われており、発射付勢部１２によってメダル４に移動方向に対して直角方向の押圧力が付加された場合であっても、メダル４は被覆カバー３０の発射付勢部１２と対向する側の側壁３０ａに制限されて移動方向に対して直角の方向へは移動できない。
【００３１】
したがって、引金部３を操作して押圧部材１１を前方に移動させてメダル４が前方に所定量押し出されると、このメダル４は、図５に示すように、付勢片１２ａを付勢部材１２ｂの付勢力に抗して底板１４上から押し出しつつ前方へと移動する。そして、押圧部材１１の更なる前方移動によって、メダル４における移動方向に対して直角な方向の最大径部が付勢片１２ａを乗り越えると、今度は図６に示すように、付勢部材１２ｂにより復帰（内方に突出）されようとする付勢片１２ａの付勢力がメダル４の最大径部を越えた部分に作用する。このときの付勢力によりメダル４には前方への押圧分力が作用し、この押圧分力によりメダル４は前方に勢いよく押し出され、これを発射感として使用者が感じることができる。なお、以上説明した移動機構は一例に過ぎず、移動体をある方向で移動させることができ、そのことにより使用者が発射感を得られる機構であれば、いかなる機構であっても構わない。
【００３２】
[供給部]
供給部２０は、図７に示すように、メダル４の外径よりも内径が若干大径となる円筒状の第１筒部２３と、この第１筒部２３の上端部に設けられた上述の第２着脱部２２（図２参照）とを備えて概ね構成されている。第１筒部２３は、メダル４をセットする初期位置、つまり、底板１４の始端部（押出部材１１の前方の位置）の上側に筒軸が底板１４に対して直角となるように配置されている。すなわち、第１筒部２３に対して底板１４は直交状態に連続して形成されている。
【００３３】
そして、第１筒部２３に投入されたメダル４は、第１筒部２３に沿って自重により下方に移動して移動機構１１に供給、詳細には初期位置となる押圧部材１１の前方に供給される。第１筒部２３はメダル４を複数枚（本実施形態では６枚）を収納できる長さに形成されている。第１筒部２３に投入された複数のメダル４は、図８に示すように、積層状態で保持され、最下層のメダル４には第１筒部２３に供給された複数のメダル４全ての荷重が掛かるようになっており、そのため、図９（ａ）に示すように、最下層のメダル４が押圧部材１１によって前方に押し出されると、それの上層に積層されたメダル４は、図９（ｂ）に示すように、自重により下降して順次初期位置にセットされる。なお、メダル４は円板状であり、かつ、第１筒部２３内で積層状態で保持されているので、供給部２０内でメダル４が閉塞することはない。
【００３４】
図１０に示すように、第１筒部２３の上端部には供給口２１が設けられており、移動体収容部５０を開口部５１と供給口２１が対向するように配置可能である。すなわち、移動体収容部５０は、開口部５１を下方に向けた状態で供給部２０に対して配置可能である。なお、本実施形態のように、供給口２１の近傍に第２着脱部２２を設け、この第２着脱部２２に移動体収容部５０を装着することにより、移動体収容部５０を供給部２０に対して配置するようにしても良い。また、供給口２１には、供給口２１の少なくとも一部を遮蔽可能なシャッター２４が設けられており、シャッター２４は、移動体収容部５０を供給部２０に対して供給口２１と開口部５１が対向するように配置した状態では供給口２１を開放し、離間させた状態で供給口２１の少なくとも一部を遮蔽可能である。
【００３５】
シャッター２４は、図示省略したスプリングなどの弾性部材によって供給口２１を遮蔽する方向に付勢されているが、シャッター２４に外力が加えられると、弾性部材の弾性に抗して移動し、供給口２１を開放するようになっている。また、移動体収容部５０を供給部２０に対して配置する動作に応じてシャッター２４を移動させるため、このシャッター２４には第２係合突起２５が突設されるとともに、移動体収容部５０には第２係合突起２５に係合可能な第３溝部５４が形成されており、移動体収容部５０を移動体収容部５０を供給部２０に対して供給口２１と開口部５１が対向するように配置したとき、シャッター２４の第２係合突起２５と移動体収容部５０の第３溝部５４は係合する位置関係となっている（図２１参照）。なお、シャッター２４の開放動作は、後述する図２２および図２３によって詳細に述べることにする。
【００３６】
また、本実施形態では、第２着脱部２２は、図１０に示すように、それの上面の両側と後側とに亘って前方が開放された内周溝２６が形成され、その内周溝２６に移動体収容部５０の係合凸部５３（図２１参照）が差し込まれて装着されるようになっている。また、移動体収容部５０が第２着脱部２２に装着されると、移動体収容部５０の開口部５１と供給口２１は対向するようになっている。なお、本実施形態においては、移動体収容部５０は第２着脱部２２に対して、内周溝２６に係合凸部５３が差し込まれて装着されるようになっているが、単に移動体収容部５０を供給部２０に対して供給口２１と開口部５１が対向するように配置するだけでも良く、第２着脱部２２、内周溝２６、係合凸部５３は必須の構成ではない。
【００３７】
[制限部]
制限部は前述したとおり、底板１４と被覆カバー３０によって形成されている。被覆カバー３０は、図１１、図１２に示すように、底板１４の平面形状にほぼ沿って下方に開放される扁平な断面逆Ｕ字状に形成され、その後端部は第１筒部２３の下部外周と一体に成形されるとともに、前端部は底板１４の終端部を囲って閉塞するようになっている。したがって、メダル４の移動経路は底板１４と被覆カバー３０によって覆われることになる。なお、本実施形態の底板１４および被覆カバー３０はメダル４の移動経路の全体を隠蔽するように覆ってあるが、必ずしもこれに限ることなく、人の手や指が入らないようにした柵状、メッシュ状、格子状あるいは多孔状などとして、内部が見えるように形成してもよい。すなわち、メダル４の移動経路を制限していれば足りる。
【００３８】
そして、このように第１筒部２３と一体成形された被覆カバー３０は、それらの外周に適宜間隔をもって突設された穴形成部３１が、底板１４およびこれと一体成形された貯留部４０の外周に設けられた凸部１４ａと嵌合されることにより、被覆カバー３０の組み付けが行われる。
また、被覆カバー３０には、底板１４の終端部に対応する位置に、移動してきたメダル４と接触してそのメダル４の前方（第１の方向）への移動を終了させる接触部１５が設けられている。
【００３９】
更に、底板１４の終端部に設けられた貯留部４０は、図１３に示すように、上述した接触部１５に対してこの接触部１５に接触して移動が終了したメダル４が自重により移動する方向、つまり鉛直下方に設けられている。この接触部１５は、本実施形態では下面が傾斜したリブ状に形成されているが、特にこのリブ形状に限ることなく、メダル４の前方（第１の方向）への移動を終了させて、そのメダル４を下方に案内できる構造であればよい。
【００４０】
[貯留部]
貯留部４０は、図１４に示すように、少なくとも２個以上（本実施形態では６個）のメダル４を貯留可能な第２筒部４４と、これの下端部に設けられる排出口４１により概ね構成されており、移動体収容部５０を開口部５１と排出口４１が対向するように配置可能である。すなわち、移動体収容部５０は、開口部５１を上方に向けた状態で貯留部４０に対して配置可能である。そのため、供給部２０に配置する場合と、貯留部４０に配置する場合とでは、移動体収容部５０は上下逆になって配置されることになる。なお、本実施形態のように、排出口４１の近傍に第１着脱部４２を設け、この第１着脱部４２に移動体収容部５０を装着することにより、移動体収容部５０を貯留部４０に対して配置するようにしても良い。そして、接触部１５に接触して移動が終了したメダル４は、図１５に示すように、自重により順次貯留部４０内に積層されて貯留される。また、上述した排出口４１には、排出口４１の少なくとも一部を遮蔽して、メダル４の通過を阻止可能な阻止部４３が設けられている。
【００４１】
阻止部４３は、図示省略したスプリングなどの弾性部材によって排出口４１を遮蔽する方向に付勢されており、外力が加わらない状態では排出口４１の少なくとも一部を遮蔽して、メダル４の通過を阻止可能な阻止状態となっている。また、阻止部４３は、外力を加えられることに応じて弾性部材の弾性に抗して移動させることが可能であり、そのため、排出口４１を開放して、メダル４の通過を許容する開放状態とすることもできる。また、本実施形態においては、移動体収容部５０を貯留部４０に対して配置する動作に応じて阻止部４３を移動させるため、この阻止部４３には、移動体収容部５０に形成された第３溝部５４（図１７参照）と係合可能な第１係合突起４５が突設されている。当該第１係合突起４５は、移動体収容部５０を貯留部４０に対して排出口４１と開口部５１が対向するように配置したとき、第３溝部５４と係合する位置関係となっている。なお、阻止部４３が開放状態になる動作は、後述する図１９によって詳細に述べることにする。
【００４２】
また、本実施形態で設けられている第１着脱部４２は、図１６に示すように、それの下面の両側と後側とに亘って、第２着脱部２２とほぼ同様に前方が開放された内周溝４６が形成され、その内周溝４６に移動体収容部５０の係合凸部５３（図１７参照）が差し込まれて装着されるようになっている。また、移動体収容部５０が第１着脱部４２に装着されると、移動体収容部５０の開口部５１と排出口４１は対向するようになっている。なお、本実施形態においては、移動体収容部５０は第１着脱部４２に対して、内周溝４６に係合凸部５３が差し込まれて装着されるようになっているが、単に移動体収容部５０を貯留部４０に対して排出口４１と開口部５１が対向するように配置するだけでも良く、第１着脱部４２、内周溝４６、係合凸部５３は必須の構成ではない。
【００４３】
[移動体収容部]
移動体収容部５０は、図１７に示すように、メダル４を複数枚（本実施形態では６枚）収容可能な第３筒部５５と、メダル４が出し入れ可能、すなわち、メダル４が通過可能な開口部５１とで概ね構成されている。前述したとおり、移動体収容部５０は、供給部２０または貯留部４０に対して、開口部５１と供給口２１または排出口４１が対向するように配置することが可能である。なお、本実施形態のように、供給口２１の近傍に第２着脱部を設け、排出口４１の近傍に第１着脱部を設けるのであれば、当該第１着脱部４２および第２着脱部２２に着脱可能に装着可能な被着脱部５６を設けても良い。そして、開口部５１には、開口部５１の少なくとも一部を遮蔽可能な遮断部５２が設けられている。また、第３筒部５５は、図２に示すように、開口部５１と反対側の端部は底部５５ａによって閉止されている。
【００４４】
遮断部５２は、図１７に示すように、図示省略したスプリングなどの弾性部材によって開口部５１を遮蔽する方向に付勢されており、外力が加わらない状態では、開口部５１の少なくとも一部を遮蔽して、メダル４の通過を遮断可能な遮断状態となっている。また、遮断部５２は、外力が加えられることに応じて弾性部材の弾性に抗して移動させることが可能であり、そのため、開口部５１を開放して、メダル４の通過を許容する開放状態とすることもできる。また、本実施形態においては、移動体収容部５０を供給部２０または貯留部４０に対して配置する動作に応じて遮断部５２を移動させるため、この遮断部５２には第３係合突起５７が突設されている。当該第３係合突起５７は、供給部２０に設けられた第２溝部２７（図１０参照）、および、貯留部４０に設けられた第１溝部４７（図１６参照）と係合可能となっており、移動体収容部５０を、開口部５１と供給口２１または排出口４１とが対向するように、供給部２０または貯留部４０に対して配置したとき、第３係合突起５７と第２溝部２７または第１溝部４７とは係合する位置関係となっている。なお、遮断部５２が開放状態になる動作は、後述する図１９および図２３によって詳細に述べることにする。
【００４５】
また、本実施形態で設けられている被着脱部５６は、同じく本実施形態で設けられている第１着脱部４２および第２着脱部２２に着脱可能に装着される部分である。具体的な構造としては、図１７に示すように、それの両側に係合凸部５３が前後方向に延在しており、その係合凸部５３が第１着脱部４２の内周溝４６および第２着脱部２２の内周溝２６に差し込まれて装着される。
【００４６】
移動体収容部５０は、図１９に示すように、貯留部４０に対して開口部５１と排出口４１が対向するように配置可能であり、また、図２３に示すように供給部２０に対して開口部５１と供給口２１が対向するのうに配置可能である。移動体収容部５０を貯留部４０に対して配置する場合は、図１７に示すように、まず開口部５１を上方に向けた状態とし、その状態のまま開口部５１と排出口４１を接近させていく。なお、この時点では阻止部４３は、排出口４１の少なくとも一部を遮蔽し、排出口４１においてメダル４の通過を阻止する阻止状態になっており、遮断部５２は、開口部５１の少なくとも一部を遮蔽し、開口部５１におけるメダル４の通過を遮断する遮断状態となっている。また、本実施形態のように、被着脱部５６、第１着脱部４２が設けられている場合は、図１８および図１９（ａ）に示すように、被着脱部５６を貯留部４０の第１着脱部４２に対向配置させ、その状態で第１着脱部４２に向けて差し込んで行く。
【００４７】
そして、図１９（ｂ）に示すように、開口部５１を排出口４１にある程度接近させた段階で、阻止部４３の第１係合突起４５が第３溝部５４と係合して阻止部４３が移動開始し、また、遮断部５２の第３係合突起５７が第１溝部４７に係合して遮断部５２が移動開始する。本実施形態のように、被着脱部５６、第１着脱部４２が設けられている場合は、被着脱部５６が第１着脱部４２に所定量差し込まれると、阻止部４３の第１係合突起４５が第３溝部５４に係合して阻止部４３が移動開始し、遮断部５２の第３係合突起５７が第１溝部４７に係合して遮断部５２が移動開始する。
【００４８】
そして、図１９（ｃ）に示すように、開口部５１と排出口４１が対向するようになった段階では、阻止部４３および遮断部５２が移動した結果、排出口４１と開口部５１は開放され、メダル４の通過が可能な状態となる。すなわち、阻止部４３および遮断部５２はメダル４の通過を許容する開放状態となる。このとき、排出口４１と開口部５１は互いに対向しているため連通状態になっている。本実施形態のように、被着脱部５６、第１着脱部４２が設けられている場合は、阻止部４３および遮断部５２が移動した結果、移動体収容部５０が差し込まれて装着が完了した段階で、排出口４１と開口部５１は開放され、メダル４の通過が可能な状態となる。すると、阻止部４３および遮断部５２が完全に開放されて、互いに対向配置された排出口４１と開口部５１とは全開状態で連通される。
【００４９】
図２０（ａ）に示すように、貯留部４０に貯留され阻止部４０により排出口４の通過を阻止されていたメダル４は、阻止部４０が開放状態となったことに応じて、自重により排出口４１を通過する方向（下方）へと移動する。そして、排出口４１を通過したメダル４はさらに開口部５１（遮断部５２は開放状態のため、メダル４の通過が許容されている）を通過して、図２０（ｂ）に示すように、移動体収容部５０に収容される。そして、同図に示すように、メダル４を収容した移動体収容部５０を、開口部５１と排出口４１が対向しなくなる方向へ、貯留部４０から離間させていくと、それに応じて、阻止部４３および遮断部５２は排出口４１および開口部５１を徐々に遮蔽開始する。そして、第１係合突起４５と第３溝部５４との係合および第３係合突起５７と第１溝部４７との係合が解除された時点で、排出口４１および開口部５１はそれぞれ阻止部４３、遮断部５２により少なくとも一部が遮蔽される。すなわち、阻止部４３および遮断部５２はそれぞれ阻止状態、遮断状態になる。この状態で移動体収容部５０を貯留部４０から離間させたとしても、開口部５１は遮断部５１によりメダルの通過が遮断されているため、メダル４は移動体収容部５０内に収容された状態が保持される。なお、本実施形態のように、被着脱部５６、第１着脱部４２が設けられている場合は、装着方向とは反対方向にスライドさせていくと、阻止部４３および遮断部５２は排出口４１および開口部５１を徐々に遮蔽開始する。そして、第１係合突起４５と第３溝部５４との係合および第３係合突起５７と第１溝部４７との係合が解除された時点で、排出口４１および開口部５１はそれぞれ阻止部４３、遮断部５２により少なくとも一部が遮蔽される。すなわち、阻止部４３および遮断部５２はそれぞれ阻止状態、遮断状態になる。この状態で移動体収容部５０を貯留部４０から離間させたとしても、開口部５１は遮断部５１によりメダル４の通過が遮断されているため、メダル４は移動体収容部５０内に収容された状態が保持される。
【００５０】
次に、移動体収容部５０を供給部２０に対して配置する場合は、図２１に示すように、まずは開口部５１を下方に向けた状態とし、その状態のまま開口部５１と供給口２１を接近させていく。なお、このとき、開口部５１は、遮断部５１によりメダル４の通過が遮断されているため、開口部５１からメダル４が自重により落下してしまうことはない。また、この時点ではシャッター２４は供給口２１の少なくとも一部を遮蔽した状態にある。また、本実施形態のように、被着脱部５６、第２着脱部２２が設けられている場合は、図２２および図２３（ａ）に示すように、被着脱部５６を供給部２０の第２着脱部２２に対向配置させ、その状態で第２着脱部２２に向けて差し込んで行く。
【００５１】
そして、図２３（ｂ）に示すように、開口部５１を供給口２１にある程度接近させた段階で、シャッター２４の第２係合突起２５が第３溝部５４と係合してシャッター２４が移動開始し、また、遮断部５２の第３係合突起５７が第２溝部２７に係合して遮断部５２が移動開始する。本実施形態のように、被着脱部５６、第２着脱部２２が設けられている場合は、被着脱部５６が第２着脱部２２に所定量差し込まれると、シャッター２４の第２係合突起２５が第３溝部５４に係合してシャッター２４が移動開始し、遮断部５２の第３係合突起５７が第２溝部２７に係合されて遮断部５２が移動開始する。
【００５２】
そして、図２３（ｃ）に示すように、開口部５１と供給口２１が対抗するようになった段階では、シャッター２４および遮断部５２が移動した結果、供給口２１と開口部５１は開放され、メダル４の通過が可能な状態となる。すなわち、シャッター２４および遮断部５２はメダル４の通過を許容する開放状態となる。このとき、供給口２１と開口部５１は互いに対向しているため連通状態になっている。本実施形態のように、被着脱部５６、第２着脱部２２が設けられている場合は、シャッター２４および遮断部５２が移動した結果、移動体収容部５０が差し込まれて装着が完了した段階で、供給口２１と開口部５１は開放され、メダル４の通過が可能な状態となる。すると、シャッター２４および遮断部５２が完全に開放されて、互いに対向配置された供給口２１と開口部５１とは全開状態で連通される。
【００５３】
これにより、図２３（ａ）に示すように、移動体収容部５０に収容され遮断部５２により開口部５１の通過を遮断されていたメダル４は、遮断部５２が開放状態となったことに応じて、自重により開口部５１を通過する方向（下方）へと移動する。そして、開口部５１を通過したメダル４はさらに供給口２１（シャッター２４は開放状態のため、メダル４の通過が許容されている）を通過して、図２３（ｄ）に示すように、供給部２０に収納される。
【００５４】
そして、図２３（ｄ）のようにメダル４を供給部２０に供給した移動体収容部５０を、開口部５１と供給口２１が対向しなくなる方向へ、供給部２０から離間させていくと、それに応じて、シャッター２４および遮断部５２は供給口および開口部５１を徐々に遮蔽開始する。そして、第２係合突起２５と第３溝部５４との係合および第３係合突起５７と第２溝部２７との係合が解除された時点で、供給口２１および開口部５１はそれぞれシャッター２４、遮断部５２により少なくとも一部が遮蔽される。すなわち、シャッター２４および遮断部５２はそれぞれ遮断状態になる。また、供給部２０から離間させた移動体収容部５０は、図１、図２に示すように、再び貯留部４０に対して開口部５１と排出口４１が対向するように配置しておくことができる。なお、本実施形態のように、被着脱部５６、第２着脱部２２が設けられている場合は、移動体収容部５０を第２着脱部２２から取り外すと、それに応じて、シャッター２４および遮断部５２は供給口および開口部５１を徐々に遮蔽開始する。そして、第２係合突起２５と第３溝部５４との係合および第３係合突起５７と第２溝部２７との係合が解除された時点で、供給口２１および開口部５１はそれぞれシャッター２４、遮断部５２により少なくとも一部が遮蔽される。すなわち、シャッター２４および遮断部５２はそれぞれ遮断状態になる。また、第２着脱部２２から取り外した移動体収容部５０は、再び図１、図３に示すように第１着脱部４２に装着しておくことができる。
【００５５】
ところで、本実施形態の玩具１は、図２、図３に示すように、底板１４の先端側が貯留部４０と共にカバー５で覆われるが、このカバー５の前側、つまり玩具１の先端面には上述した第１着脱部４２や第２着脱部２２と同様の第３着脱部６が設けられている。そして、この第３着脱部６に、移動体収容部５０を横にした状態で被着脱部５６を上方から差し込んで取り付けることができるようになっている。
【００５６】
また、本実施形態では図２に示すように、把持部２に電池ケース７とスイッチ８とが内蔵されており、引金部３を操作することによりスイッチ８がＯＮされて、電池ケース７にセットした電池を電源として、ＬＥＤやスピーカなどの演出部が作動されるようになっている。この演出部には、ＬＥＤによる発光パターンやスピーカで発する音声データを記憶した演出記憶部が設けられている。また、これら演出部、演出記憶部およびスイッチ８に制御部が電気的に接続されており、この制御部は、引金部３に連動したスイッチ８の操作に応じて、演出記憶部から演出データを読み出し、その読み出したデータに基づいて演出部により各種演出を行わせるように制御するようになっている。
したがって、引金部３を操作して移動機構１０によりメダル４を移動（発射）させる度に、ＬＥＤが発光するとともに、スピーカで様々な発射音を発することができ、玩具１としてのおもしろみを更に増大させることできる。
【００５７】
ところで、上述した玩具１は、供給部２０、被覆カバー３０、貯留部４０、移動体収容部５０および把持部２やカバー５などの外郭部分がそれぞれプラスチックで形成されて軽量化が図られる。これにより、安価な製品の提供を達成しつつ子供にも自在に扱える玩具１となっている。
【００５８】
以上説明したように本実施形態の玩具１によれば、供給部２０から供給されたメダル４が移動機構１０によって前方に移動されることにより発射感を得ることができる。そして、移動されたメダル４は貯留部４０に貯留されるので、メダル４を拾いに行く手間が省ける。
【００５９】
更に、本実施形態の玩具１によれば、貯留部４０は２個以上のメダル４を貯留できるので、移動機構１０により複数のメダル４を続けて移動させることができる。これにより、玩具１による連射感を味わうことができる。したがって、本実施形態の玩具１では、このようにメダル４の移動により発射感を得ることができる上、制限部により移動経路が制限され、また、貯留部４０に貯留されるので、メダル４を拾いに行く手間が省ける。また、本実施形態の玩具１によれば、メダル４の移動を玩具内で終結させることができるため、メダル４の飛び出しを防止して安全な玩具を提供することができる。また、本実施形態に寄れば、メダル４の移動経路が底板１４と被覆カバー３０で覆われたことにより、移動するメダル４に誤って手などが触れるのを防止でき、これによっても安全性をより高めることができる。
【００６０】
また、本実施形態によれば、貯留部４０の排出口４１には、排出口４１におけるメダル４の通過を阻止可能な阻止状態になり得る阻止部４３が設けられている。したがって、移動体収容部５０を貯留部４０に対して配置することなく、移動機構１０によりメダル４を移動させたとしても、阻止部４３によりメダル４の排出口４１の通過は阻止されるため、排出口４１から自重により落下することなく、貯留部４０内に保持することができる。また、移動体収容部５０を貯留部４０に対して配置した際には、貯留部４０の排出口４１の阻止部４３がメダル４の通過を許容する開放状態となって、貯留部４０に貯留されたメダル４が、排出口４１から移動体収容部５０の開口部５１を通過して移動体収容部５０に収容される。そして、メダル４が収容された移動体収容部５０を開口部５１と排出口４１が対向しない状態にする（被着脱部５６を第１着脱部４２から取り外す）ことにより、阻止部４３は再び排出口４１のメダル４の通過を阻止する阻止状態に復帰するため、貯留部４０は次のメダル４を貯留する準備ができる。
【００６１】
更に、本実施形態によれば、移動体収容部５０の開口部５１には、開口部５１におけるメダル４の通過を遮断可能な遮断状態になり得る遮断部５２が設けられている。したがって、貯留部４０から離間させた移動体収容部５０の開口部５１をいかなる方向に向けても、収容しているメダル４が開口部５１から自重により落下することはない。また、移動体収容部５０を開口部５１と供給口２１が対向するように供給部２０に対して配置した際には（被着脱部５６を第２着脱部２２に装着した際には）、遮断部５２がメダル４の通過を許容する開放状態となって、移動体収容部５０に収容されているメダル４を供給部２０に供給することができる。これにより、移動機構１０によって、供給部２０から供給されたすべてのメダル４を移動（発射）させて貯留部４０に貯留させた後、移動体収容部５０を貯留部４０に対して開口部５１と排出口４１が対向するように配置し、貯留部４０に貯留されていたメダル４を落下させて移動体収容部５０に収容してから、移動体収容部５０を貯留部４０から離間させ、その離間させた移動体収容部５０を上下逆にして供給部２０に対して供給口２１と開口部５１が対向するように配置することで、収容していたメダル４を再び供給部２０に移し、移動機構１０へと供給することができる。したがって、玩具１において容易に連射を繰り返すことが可能となり、遊ぶ楽しさを向上することができる。
【００６２】
更にまた、本実施形態によれば、移動してきたメダル４の第１の方向への移動を終了させる接触部１５を設けたので、この接触部１５にメダル４が接触することによりメダル４の第１の方向への移動を確実に終了させることができる。また、本実施形態のように、被覆カバー３０に接触部１５が設ければ、被覆カバー３０と接触部１５との一体化が可能となって部品点数の削減を達成し、組付性を向上することができる。また、第１の方向への移動が終了したメダル４を貯留する貯留部４０は、接触部１５に接触して移動が終了したメダル４が自重により移動する方向に設けられたので、貯留部４０は移動が終了されたメダル４をより確実に捕捉することができる。
【００６３】
また、本実施形態によれば、玩具１に把持部２と引金部３とを設けて全体的に銃を模した形状としたので、把持部２を把持して引金部３を操作することによりメダル４を移動させることができるため、銃でメダル４を発射する感じが得られておもしろみを増すことができる。これにより、玩具１で遊ぶ子供たちは、あたかも自分がその玩具１を使用するキャラクターになったつもりとなり、おもしろさに加えて楽しさもより増大させることができる。
【００６４】
以上、本発明の好ましい実施例について詳述したが、この実施形態に限ることなく本発明の要旨を逸脱しない範囲で各種変更が可能である。たとえば、移動体はメダル４に限ることなく所定厚みを有する円盤体であってもよい。また、本実施形態の玩具１は銃を模した形状として構成されるが、その形状は銃に限定されるものではない。
また、本発明にかかる玩具１は、プラスチックで作られる構成としたが、本発明はこれに限定されず、金属や木材などから作られても良い。
【符号の説明】
【００６５】
１  玩具
２  把持部
３  引金部
４  メダル（移動体）
１０  移動機構
１４  底板
１５  接触部
２０  供給部
２１  供給口
２２  第２着脱部
３０  被覆カバー
４０  貯留部
４１  排出口
４２  第１収容部
４３  阻止部
５０  移動体収容部
５１  開口部
５２  遮断部
【要約】
【課題】発射感を得つつ、移動体を拾いに行く手間を省く。
【解決手段】メダル４を前方へと移動させることが可能な移動機構１０と、この移動機構１０に対してメダル４を供給可能な供給部２０と、第１の方向へと移動したメダル４を２個以上貯留可能な貯留部４０と、を備え、貯留部４０は、メダル４が通過可能な排出口４１を有し、当該排出口４１には、メダル４の通過を阻止可能な阻止状態とメダル４の通過を許容する開放状態の両方になり得る阻止部４３を設けた。
【選択図】  図２【図１】
0004817401.tif 000002
【図２】
0004817401.tif 000003
【図３】
0004817401.tif 000004
【図４】
0004817401.tif 000005
【図５】
0004817401.tif 000006
【図６】
0004817401.tif 000007
【図７】
0004817401.tif 000008
【図８】
0004817401.tif 000009
【図９】
0004817401.tif 000010
【図１０】
0004817401.tif 000011
【図１１】
0004817401.tif 000012
【図１２】
0004817401.tif 000013
【図１３】
0004817401.tif 000014
【図１４】
0004817401.tif 000015
【図１５】
0004817401.tif 000016
【図１６】
0004817401.tif 000017
【図１７】
0004817401.tif 000018
【図１８】
0004817401.tif 000019
【図１９】
0004817401.tif 000020
【図２０】
0004817401.tif 000021
【図２１】
0004817401.tif 000022
【図２２】
0004817401.tif 000023
【図２３】
0004817401.tif 000024